(57)【要約】無線ノード（１２）は、システム情報が部分的に送信される無線通信システム（１０）において使用される様に構成される。この点、無線ノード（１２）は、システム情報の第１部分（１６)に関連付けられ、システム情報の第２部分を復調又はディスクランブルするためのシーケンス（２４）を示す明示的シグナリングを生成する。無線ノード（１２）は、シグナリングチャネル（２５）で、明示的なシグナリングを送信する。同様に、無線通信デバイス（１４）は、システム（１０）のシステム情報を部分的に受信する。デバイス（１４）は、第１チャネル（１８）で第１部分（１６）を受信する。デバイス（１４）は、シグナリングチャネル（２５）で明示的シグナリングも受信する。デバイス（１４）は、さらに、明示的シグナリングにより示されたシーケンス（２４）を使用して第２部分（２５）を復調又はディスクランブルことにより、第２チャネル（２２）で、第２部分（２０）を受信する。
2019516302.tif 000002
【特許請求の範囲】
【請求項１】
無線通信システム（１０）のシステム情報を部分的に受信する無線通信デバイス（１４）により実行される方法であって、
第１チャネル（１８）で、システム情報の第１部分（１６）を受信すること（２１０）と、
シグナリングチャネル（２５）で、前記第１部分（１６）に関連付けられ、かつ、前記無線通信デバイス（１４）がシステム情報の第２部分（２０）を復調又はディスクランブルするためのシーケンス（２４）を示す、明示的シグナリングを受信することと、
前記示されたシーケンス（２４）を使用して前記第２部分（２０）を復調又はディスクランブルすることにより、第２チャネル（２２）でシステム情報の前記第２部分（２０）を受信すること（２２０）と、
を含む、方法。
【請求項２】
請求項１に記載の方法であって、さらに、
システム情報の前記第１部分（１６）及び前記第２部分（２０）の両方を使用して前記無線通信システム（１０）にアクセスすること（２３０）を含む、方法。
【請求項３】
請求項１又は２に記載の方法であって、
システム情報の前記第２部分（２０）は、前記無線通信システム（１０）にアクセスするための複数の構成を含むアクセス情報テーブルを含み、
前記複数の構成は、それぞれ、異なるインデクスにより示され、
前記方法は、さらに、
前記無線通信システム（１０）の複数の異なる可能なシステム署名の１つを示すシステム署名信号を受信することと、
前記システム署名信号に基づきシステム情報の前記第１部分（１６）を受信することと、
前記システム署名信号に基づき、システム情報の前記第２部分（２０）に含まれる前記アクセス情報テーブルへのインデクスを判定することと、
前記アクセス情報テーブルの前記判定したインデクスにより示される構成を使用して前記無線通信システム（１０）にアクセスすることと、
を含む、方法。
【請求項４】
システム情報が部分的に送信される無線通信システム（１０）において使用される様に構成された無線ノード（１２）により実行される方法であって、
システム情報の第１部分（１６）に関連付けられ、かつ、システム情報の第２部分（２０）を復調又はディスクランブルするためのシーケンス（２4）を示す、明示的シグナリングを生成すること（１１０）と、
シグナリングチャネル（２５）で、前記明示的シグナリングを送信することと、
を含む、方法。
【請求項５】
請求項４に記載の方法であって、さらに、
システム情報の前記第２部分（２０）が送信される第２チャネル（２２）とは異なる第１チャネル（１８）で、システム情報の前記第１部分（１６）を送信すること（１２０）を含む、方法。
【請求項６】
請求項１から５のいずれか１項に記載の方法であって、
前記明示的シグナリングは、システム情報の前記第１部分（１６）に含まれ、システム情報の前記第１部分（１６）と同じ前記チャネルで送信される、方法。
【請求項７】
請求項１から５のいずれか１項に記載の方法であって、
前記明示的シグナリングは、システム情報の前記第１部分（１６）には含まれず、
前記明示的シグナリングは、システム情報の前記第１部分（１６）が復調される様に構成されたのと同じシーケンスに基づき復調される様に構成される、方法。
【請求項８】
請求項１から７のいずれか１項に記載の方法であって、
システム情報の前記第１部分（１６）は、システム情報の前記第２部分（２０）が復調又はディスクランブルされるのとは異なるシーケンスを使用して復調又はディスクランブルされる、方法。
【請求項９】
請求項１から８のいずれか１項に記載の方法であって、
前記明示的シグナリングにより示される前記シーケンス（２４）は、システム情報の前記第２部分（２０）を、システム情報の１つ以上の他の第２部分とは区別し、システム情報の１つ以上の他の第２部分は、復調又はディスクランブルのための１つ以上の他の各シーケンスを使用して受信可能である、方法。
【請求項１０】
請求項１から９のいずれか１項に記載の方法であって、
システム情報の複数の異なる可能な第２部分は、それぞれ、前記無線通信デバイス（１４）により取得されたインデクスを使用してアクセス可能なテーブルの種別を含み、
前記明示的シグナリングにより示される前記シーケンス（２４）は、前記インデクスが対象とする前記種別の前記テーブルを含むものとして、システム情報の前記第２部分（２０）を区別する、方法。
【請求項１１】
請求項１０に記載の方法であって、
テーブルの前記種別は、前記無線通信システム（１０）にアクセスするための複数の構成を含むアクセス情報テーブルであり、
前記複数の構成は、それぞれ、異なるインデクスにより示される、方法。
【請求項１２】
請求項１から１１のいずれか１項に記載の方法であって、
システム情報の前記第２部分（２０）は、それぞれが、異なるシステム署名インデクス（ＳＳＩ）により示される複数のアクセス情報構成を有する共通アクセス情報テーブル（Ｃ−ＡＩＴ）を含み、
前記アクセス情報構成の１つ以上は、前記無線通信システム（１０）への初期アクセスのための構成を含み、
システム情報の前記第１部分（１６）は、ＳＳＩに関連付けられるシステム署名ブロック（ＳＳＢ）を含む、方法。
【請求項１３】
請求項１から１２のいずれか１項に記載の方法であって、
前記明示的シグナリングは、復調基準信号シーケンスを示す、方法。
【請求項１４】
請求項１から１３のいずれか１項に記載の方法であって、
前記明示的シグナリングは、スクランブリング・コード・シーケンスを示す、方法。
【請求項１５】
請求項１から１４のいずれか１項に記載の方法であって、
前記明示的シグナリングは、同期信号シーケンスを示す、方法。
【請求項１６】
請求項１から１５のいずれか１項に記載の方法であって、
前記明示的シグナリングは、さらに、
システム情報の前記第２部分（２０）が送信される第２チャネル（２２）の時間ドメイン及び／又は周波数ドメインのリソースサイズの情報と、
システム情報の前記第２部分（２０）が送信される第２チャネル（２２）の変調及び符号化方式と、
システム情報の前記第２部分（２０）が送信される第２チャネル（２２）のアンテナ構成と、
の１つ以上を示す、方法。
【請求項１７】
請求項１から１６のいずれか１項に記載の方法であって、
システム情報の前記第１部分（１６）は、システム情報の第１種別を含み、
前記第１種別の異なるシステム情報を示すシステム情報の異なる第１部分は、それぞれ、異なる領域で送信され、
システム情報の前記第２部分（２０）は、システム情報の前記異なる第１部分がそれぞれ送信される前記異なる領域において共に送信される共通情報である、方法。
【請求項１８】
請求項１から１７のいずれか１項に記載の方法であって、
システム情報の前記第１部分（１６）は、システム情報の前記第２部分（２０）より高い頻度で送信される、方法。
【請求項１９】
請求項１から１８のいずれか１項に記載の方法であって、
システム情報の前記第２部分（２０）は、無線通信デバイス（１４）が、前記無線通信システム（１０）に初期アクセスするために必要な初期アクセス情報を含む、方法。
【請求項２０】
請求項１から１９のいずれか１項に記載の方法であって、
前記無線通信システム（１０）は、ロングタームエボリューションシステムであり、
システム情報の前記第１部分（１６）は、マスタ情報ブロックを含み、
システム情報の前記第２部分（２０）は、システム情報ブロックを含む、方法。
【請求項２１】
無線通信システム（１０）のシステム情報を部分的に受信する無線通信デバイス（１４）であって、
第１チャネル（１８）で、システム情報の第１部分（１６）を受信し、
シグナリングチャネル（２５）で、前記第１部分（１６）に関連付けられ、かつ、前記無線通信デバイス（１４）がシステム情報の第２部分（２０）を復調又はディスクランブルするためのシーケンス（２４）を示す、明示的シグナリングを受信し、
前記示されたシーケンス（２４）を使用して前記第２部分（２０）を復調又はディスクランブルすることにより、第２チャネル（２２）でシステム情報の前記第２部分（２０）を受信する様に構成される、無線通信デバイス。
【請求項２２】
請求項２１に記載の無線通信デバイス（１４）であって、
請求項１から３及び６から２０のいずれか１項に記載の方法を実行する様に構成される、無線通信デバイス。
【請求項２３】
システム情報が部分的に送信される無線通信システム（１０）において使用される無線ノード（１２）であって、
システム情報の第１部分（１６）に関連付けられ、かつ、システム情報の第２部分（２０）を復調又はディスクランブルするためのシーケンス（２４）を示す、明示的シグナリングを生成し、
シグナリングチャネル（２５）で前記明示的シグナリングを送信する様に構成される、無線ノード。
【請求項２４】
請求項２３に記載の無線ノード（１２）であって、
請求項５から２０のいずれか１項に記載の方法を実行する様に構成される、無線ノード。
【請求項２５】
ノードの少なくとも１つのプロセッサで実行されると、前記少なくとも１つのプロセッサに、請求項１から２０のいずれか１項に記載の方法を実行させる命令を含む、コンピュータプログラム。
【請求項２６】
請求項２５に記載の前記コンピュータプログラムを含むキャリアであって、
前記キャリアは、電子信号、光信号、無線信号、又は、コンピュータ可読記憶媒体の１つである、キャリア。
【請求項２７】
無線通信システム（１０）のシステム情報を部分的に受信する無線通信デバイス（１４）であって、
第１チャネル（１８）で、システム情報の第１部分（１６）を受信する第１部分受信モジュール（６００）と、
シグナリングチャネル（２５）で、前記第１部分（１６）に関連付けられ、かつ、前記無線通信デバイス（１４）がシステム情報の第２部分（２０）を復調又はディスクランブルするためのシーケンス（２４）を示す、明示的シグナリングを受信するシグナリング受信モジュールと、
前記示されたシーケンス（２４）を使用して前記第２部分（２０）を復調又はディスクランブルすることにより、第２チャネル（２２）で、システム情報の前記第２部分（２０）を受信する第２部分受信モジュール（６１０）と、
を備えている無線通信デバイス。
【請求項２８】
請求項２７に記載の無線通信デバイス（１４）であって、
請求項１から３及び６から２０のいずれか１項に記載の方法を実行する様に構成される、無線通信デバイス。
【請求項２９】
システム情報が部分的に送信される無線通信システム（１０）において使用される無線ノード（１２）であって、
システム情報の第１部分（１６）に関連付けられ、かつ、システム情報の第２部分（２０）を復調又はディスクランブルするためのシーケンス（２０）を示す、明示的シグナリングを生成する生成モジュール（４００）と、
シグナリングチャネル（２５）で、前記明示的シグナリングを送信する送信モジュール（４１０）と、
を備えている無線ノード。
【請求項３０】
請求項２９に記載の無線ノード（１２）であって、
請求項５から２０のいずれか１項に記載の方法を実行する様に構成される、無線ノード。
【請求項３１】
無線通信システム（１０）のシステム情報を部分的に受信する無線通信デバイス（１４）であって、
プロセッサと、前記プロセッサにより実行可能な命令を含むメモリと、を備え、
前記無線通信デバイス（１４）は、
第１チャネル（１８）で、システム情報の第１部分（１６）を受信し、
シグナリングチャネル（２５）で、前記第１部分（１６）に関連付けられ、かつ、前記無線通信デバイス（１４）がシステム情報の第２部分（２０）を復調又はディスクランブルするためのシーケンス（２４）を示す、明示的シグナリングを受信し、
前記示されたシーケンス（２４）を使用して前記第２部分（２０）を復調又はディスクランブルすることにより、第２チャネル（２２）でシステム情報の前記第２部分（２０）を受信する様に構成される、無線通信デバイス。
【請求項３２】
請求項３１に記載の無線通信デバイス（１４）であって、
請求項１から３及び６から２０のいずれか１項に記載の方法を実行する様に構成される、無線通信デバイス。
【請求項３３】
システム情報が部分的に送信される無線通信システム（１０）において使用される無線ノード（１２）であって、
プロセッサと、前記プロセッサにより実行可能な命令を含むメモリと、を備え、
前記無線通信デバイス（１４）は、
システム情報の第１部分（１６）に関連付けられ、かつ、システム情報の第２部分（２０）を復調又はディスクランブルするためのシーケンス（２４）を示す、明示的シグナリングを生成し、
シグナリングチャネル（２５）で前記明示的シグナリングを送信する様に構成される、無線ノード。
【請求項３４】
請求項３３に記載の無線ノード（１２）であって、
請求項５から２０のいずれか１項に記載の方法を実行する様に構成される、無線ノード。
【発明の詳細な説明】
【技術分野】
【０００１】
本出願は、一般的に、無線通信システムのシステム情報に関し、特に、システム情報の部分的な送受信に関する。
【背景技術】
【０００２】
無線通信システムは、システムカバレッジ領域内の無線通信デバイスにシステム情報を送信する。このシステム情報は、例えば、初期のランダムアクセスにおいて、どの様に無線通信デバイスがシステムにアクセスするかを示すアクセス情報を含む。アクセス情報は、例えば、デバイスによる初期アクセスで使用される、タイミング、周波数、送信フォーマット、及び／又は、電力の制御を示すパラメータを特定し得る。
【０００３】
伝統的に、無線通信システムは、システムのセルのそれぞれから、セル特定システム情報をブロードキャストする。これは、異なるシステム情報を異なるセルからブロードキャストすることを可能にし、例えば、異なるセルで行われるアクセスを区別することを可能にし、或いは、初期送信電力レベルを個別のセル毎に調整することを可能にする。
【発明の概要】
【発明が解決しようとする課題】
【０００４】
特に、無線通信システムが密集すると、この伝統的なアプローチを使用するシステム情報のブロードキャストは、無線リソース及びエネルギの点において非効率かつコスト高になる。よって、現在のアプローチは、ブロードキャストされるシステム情報の量を最小化し、情報をブロードキャストする頻度を制限することを追及している。例えば、幾つかのアプローチにおいては、制限されたシステム情報のテーブルを比較的に低い頻度でブロードキャストし、そのテーブルのインデクスを比較的に高頻度でブロードキャストしている。米国特許公開２０１４／０２９５８３６は、本開示に組み込まれる。これら、及び、他のアプローチにおいて、無線通信デバイスにシステム情報を効率よく配布する課題が、依然、存在する。
【課題を解決するための手段】
【０００５】
本開示の１つ以上の実施形態によると、無線通信デバイスは、無線通信システムのシステム情報を部分的に受信する。無線通信デバイスは、第１チャネルを介して、システム情報の第１部分を受信する様に構成される。デバイスは、シグナリングチャネルを介して、第１部分に関連付けられ、かつ、無線通信デバイスがシステム情報の第２部分を復調又はディスクランブルするためのシーケンスを示す、明示的シグナリングを受信する様に構成される。示されるシーケンスは、例えば、復調基準信号（ＤＭＲＳ）シーケンス、スクランブリング・コード・シーケンス、及び／又は、同期信号シーケンスであり得る。また、無線通信デバイスは、示されたシーケンスを使用して第２部分を復調又はディスクランブルすることにより、第２チャネルを介してシステム情報の第２部分を受信する様にも構成される。幾つかの実施形態において、無線通信デバイスは、システム情報の第１部分及び第２部分の両方を使用してシステムにアクセスする様にさらに構成される。
【０００６】
１つ以上の実施形態において、システム情報の第２部分は、無線通信システムにアクセスするための複数の構成を含むアクセス情報テーブルを含む。複数の構成は、それぞれ、異なるインデクスにより示される。この場合、無線通信デバイスは、無線通信システムの複数の異なる可能なシステム署名の１つを示す、所謂、システム署名信号を受信する様に構成され得る。デバイスは、さらに、システム署名信号に基づきシステム情報の第１部分を受信し、システム署名信号に基づき、システム情報の第２部分に含まれるアクセス情報テーブルへのインデクスを判定する様に構成される。さらに、デバイスは、判定したインデクスにより示される、アクセス情報テーブル内の示された構成を使用して無線通信システムにアクセスする様に構成される。
【０００７】
さらに他の実施形態は、システム情報が部分的に送信される無線通信システム（１０）において使用される様に構成された無線ノードを含む。無線ノードは、システム情報の第１部分に関連付けられ、システム情報の第２部分を、復調又はディスクランブルするためのシーケンスを示す、明示的シグナリングを生成する様に構成される。無線ノードは、シグナリングチャネルで明示的シグナリングを送信する様にも構成される。
【０００８】
これらの任意の実施形態において、明示的シグナリングは、システム情報の第１部分に含まれ、システム情報の第１部分と同じチャネルで送信され得る。つまり、この場合、第１チャネルは、シグナリングチャネルと同じであり得る。代わりに、明示的シグナリングは、システム情報の第１部分１６から除外され得る。この場合、明示的シグナリングは、システム情報の第１部分１６が復調される様に構成されたのと同じシーケンスに基づき、復調される様に構成され得る。
【０００９】
これらの実施形態のいずれかにおいて、システム情報の第１部分は、システム情報の第２部分が復調又はディスクランブルされ得るのとは異なるシーケンスを使用して復調又はディスクランブルされ得る。
【００１０】
さらに、幾つかの実施形態において、明示的シグナリングにより示されるシーケンスは、システム情報の第２部分を、システム情報の１つ以上の他の第２部分とは区別し、システム情報の１つ以上の他の第２部分は、復調又はディスクランブルのための１つ以上の他のシーケンスそれぞれを使用して受信可能である。
【００１１】
代わりに、或いは、追加して、システム情報の複数の異なる可能な第２部分は、それぞれ、無線通信デバイスにより得られるインデクスを使用してアクセスできるテーブルの種別を含み得る。この場合、明示的シグナリングにより示されるシーケンスは、インデクスの対象となる種別のテーブルを含むものとしてシステム情報の第２部分を区別し得る。この場合、テーブルの種別は、無線通信システムにアクセスするための複数の構成を含む、アクセス情報テーブルであり、ここで、複数の構成は、それぞれ、異なるインデクスにより示される。
【００１２】
幾つかの実施形態において、システム情報の第２部分は、異なるシステム署名インデクス（ＳＳＩ）によりそれぞれ示される複数のアクセス情報構成を含む、共通アクセス情報テーブル（Ｃ−ＡＩＴ）を含み得る。この場合、アクセス情報構成の１つ以上は、無線通信システムに初期的にアクセスするための構成であり得る。システム情報の第１部分は、ＳＳＩに関連付けられたシステム署名ブロック（ＳＳＢ）を含み得る。
【００１３】
上記実施形態のそれぞれにおいて、明示的シグナリングは、復調基準信号シーケンスを示し得る。代わりに、或いは、追加して、明示的シグナリングは、スクランブリング・コード・シーケンスを示し得る。さらに他の実施形態において、明示的シグナリングは、代わりに、或いは、追加して、同期信号シーケンスを示し得る。
【００１４】
幾つかの実施形態において、明示的シグナリングは、さらに、システム情報の第２部分が送信される第２チャネルの時間ドメイン及び／又は周波数ドメインのリソースサイズ、システム情報の第２部分が送信される第２チャネルの変調及び符号化方式、システム情報の第２部分が送信される第２チャネルのアンテナ構成についての情報の１つ以上を示し得る。
【００１５】
代わりに、或いは、追加して、システム情報の第１部分は、システム情報の第１種別を含み得る。この場合、第１種別の異なるシステム情報を示すシステム情報の異なる第１部分は、それぞれ、異なる領域で送信され得る。システム情報の第２部分は、システム情報の異なる第１部分がそれぞれ送信される異なる領域で共通して送信される共通情報であり得る。この、或いは、他の実施形態において、システム情報の第１部分は、システム情報の第２部分より高い頻度で送信され得る。
【００１６】
上述した実施形態のそれぞれにおいて、システム情報の第２部分は、無線通信デバイスが、無線通信システムに初めてアクセスするために必要な、初期アクセス情報を含み得る。
【００１７】
幾つかの実施形態において、無線通信システムは、ロングタームエボリューションシステムである。この場合、システム情報の第１部分は、マスタ情報ブロック（ＭＩＢ）を含み、システム情報の第２部分は、システム情報ブロック（ＳＩＢ）を含み得る。
【００１８】
本実施形態は、対応する方法、コンピュータプログラム、及び、コンピュータプログラム製品も含む。
【図面の簡単な説明】
【００１９】
【図１】システム情報が部分的に送信される１つ以上の実施形態による、無線通信システムの構成図。
【図２】１つ以上の実施形態による、システム情報の複数の第２部分が受信可能なシステムの構成図。
【図３】１つ以上の実施形態による、システム情報の第２部分がテーブルを含むシステムの構成図。
【図４】幾つかの実施形態によるアクセス情報テーブルを示す図。
【図５】幾つかの実施形態による、システム情報を部分的に受信する無線通信デバイスにより実行される処理のフローチャート。
【図６Ａ】１つの例示的な配置シナリオによるシステム情報送信を示す図。
【図６Ｂ】１つの例示的な配置シナリオによるシステム情報送信のタイミングを示す図。
【図７】幾つかの実施形態によるシステム情報送信の送信チェインを示す図。
【図８Ａ】他の例示的な配置シナリオによるシステム情報送信を示す図。
【図８Ｂ】他の例示的な配置シナリオによるシステム情報送信を示す図。
【図９】幾つかの実施形態による論理的なアンカーセルの異なる配置オプションを示す図。
【図１０】システム情報が部分的に送信される無線通信システムにおいて使用される様に構成された無線ノードにより実行される方法のフローチャート。
【図１１】幾つかの実施形態による、システム情報を部分的に受信する無線通信デバイスにより実行される方法のフローチャート。
【図１２】幾つかの実施形態による無線ノードを示す図。
【図１３】他の実施形態による無線ノードを示す図。
【図１４】幾つかの実施形態による無線通信デバイスを示す図。
【図１５】他の実施形態による無線通信デバイスを示す図。
【発明を実施するための形態】
【００２０】
図１は、幾つかの実施形態による無線通信システム１０を示している。システム１０は、無線ノード１２の様な、１つ以上の無線ノード（例えば、基地局）を含む。システム１０は、無線通信デバイス１４の様な、１つ以上の無線通信デバイス（例えば、ユーザ装置）も含む。システム１０は、無線通信デバイス１４にシステム情報を送信する様に構成される。ここでのシステム情報とは、無線通信デバイスをシステム１０内で動作させ、或いは、無線通信デバイスをシステム１０にアクセスさせることを促進するために、無線通信デバイスに送信される任意の情報を参照し得る。システム情報は、例えば、システム１０へのランダムアクセスのための構成を記述する情報、トラッキング及びページング関連情報、隣接セル情報、公衆地上移動網（ＰＬＭＮ）識別子のリスト、アクセス除外情報を含み得る。
【００２１】
システム情報の特定のコンテンツに拘わらず、システム１０のシステム情報は、部分的に送信される。この点に関し図示する様に、システム１０は、１つ以上の無線ノードを介して、第１チャネル１８でシステム情報の第１部分１６を送信する。システム１０は、第２チャネル２２でシステム情報の第２部分２０も送信する。第１部分１６は、システム情報の１つの部分を示し、第２部分１８は、システム情報の他の部分を示し得る。
【００２２】
この文脈において、本実施形態による無線ノード１２は、第１部分（１６）に関連付けられ、かつ、無線通信デバイス１４がシステム情報の第２部分２０を復調又はディスクランブルするためのシーケンス２４を示す、明示的シグナリングを送信する。ある意味、明示的シグナリングは、無線通信デバイス１４がシステム情報、つまり、第２部分２０のシステム情報を受信することを促進する。シグナリングは、シーケンス２４（例えば、シーケンス・インデクスとして）を符号化又は表現する１つ以上のビット、シンボル、又は、他の情報要素を含む点で明示的である。幾つかの実施形態において、シーケンス２４は、復調基準信号（ＤＭＲＳ）シーケンス、スクランブリング・コード・シーケンス、又は、同期信号シーケンスであり得る。いずれにしても、無線ノード１２は、シグナリングチャネル２５で、この明示的シグナリングを送信する。この明示的シグナリングを受信すると、無線通信デバイス１４は、示されたシーケンス２４を使用して第２部分２０を復調又はディスクランブルすることにより、第２チャネル２２を介してシステム情報の第２部分２０を受信する。
【００２３】
明示的シグナリングは、多くの方法で第１部分１６に関連付けられ得る。幾つかの実施形態において、明示的シグナリングは、システム情報と共に第１部分１６に含まれ、或いは、第１部分１６に埋め込まれ、第１部分１６により示されるシステム情報に効果的に添付される。よって、この場合、無線ノード１２は、同じチャネルでシステム情報の第１部分１６と、第１部分１６に含まれる明示的なシグナリングとの両方を送信し、つまり、第１チャネル１８及びシグナリングチャネル２５は、同じ１つのチャネルである。
【００２４】
他の実施形態において、明示的シグナリングは、第１部分１６に実際には含まれず、また、組み込まれないが、第１部分１６に関連付けられる。例えば、一実施形態において、明示的シグナリングは、第１部分１６の識別子を含む。代わりに、或いは、追加して、明示的シグナリングは、第１部分１６を受信できるのと同じ基準信号を使用して受信可能であり得る。例えば、それぞれ個別に受信される同じシーケンス・インデクス（例えば、以下に詳細を説明するシステム署名インデクス（ＳＳＩ））が、第１部分（１６）と明示的シグナリングの両方を復調するために使用される復調基準信号を導出するために使用され得る。つまり、明示的なシグナリングが、システム情報の第１部分１６に包含されないとしても、明示的シグナリングは、システム情報の第１部分１６が復調される様に構成されたのと同じシーケンスに基づき復調される様に構成される点で、第１部分１６に関連付けられ得る。
【００２５】
図１は、これらの前者の実施形態におけるデバイス処理の例を示し、明示的シグナリングは、第１部分１６に含まれている。この場合、無線通信デバイス１４は、システム情報の第１部分１６を回復させるために、第１チャネル１８で受信機処理２６を実行し得る。無線通信デバイス１４は、システム情報の第１部分１６に埋め込まれたシーケンス２４を抽出し、シーケンス２４を第２チャネル２２での受信機処理２８を実行するために使用する。特に、デバイス１４は、システム情報２０の第２部分２０の復調又はディスクランブル３０を実行するために、抽出したシーケンス２４を使用し得る。幾つかの実施形態において、無線通信デバイス１４は、システム情報の第１部分１６及び第２部分２０の両方を使用して無線通信システム１０にアクセス１２する。
【００２６】
幾つかの実施形態において、シーケンス２４は、システム情報の第２部分を、システム情報の１つ以上の他の第２部分とは区別し、システム情報の１つ以上の他の第２部分は、復調又はディスクランブルのための１つ以上の他のシーケンスそれぞれを使用して受信可能である。１つ以上の実施形態において、これらの異なるシーケンスは、第２部分が構成されたシーケンスとは異なるシーケンスを使用してのシステム情報の第２部分の復調又はディスクランブルが、その第２部分の回復を妨げる様に、例えば、第２部分がノイズとして現れる様に、直交する。図２は、一例を示している。
【００２７】
図示する様に、システム情報の異なる第２部分２０Ａ〜２０Ｃが、システム１０において送信される。これら第２部分２０Ａ〜２０Ｃは、同じ種別のシステム情報を含み、同じ種別のチャネル２２Ａ〜２２Ｃで受信され、システム情報の各第１部分を補うものであり得る。しかし、第２部分２０Ａ〜２０Ｃは、その種別のシステム情報の異なる値を示し得る。例えば、各第２部分２０Ａ〜２０Ｃは、無線デバイス１４が異なるランダムアクセスプリアンブル又は異なるランダムアクセス電力でアクセスを使用してシステム１０にアクセスすることを示し得る。この点について、第２部分２０Ａ〜２０Ｃは、復調又はディスクランブルのための異なるシーケンスを使用して、無線通信デバイス１４により受信可能な様に構成される。図示する様に、例えば、第２部分２０Ａは、シーケンスＡを使用して受信可能であるが、第２部分２０Ｂ及び２０Ｃは、それぞれ、シーケンスＢ及びＣを使用して受信可能である。
【００２８】
この様に、幾つかの実施形態において、第２部分２０Ａ〜２０Ｃは、効果的に組み合わされ、対応するシーケンスＡ〜Ｃを示す明示的シグナリングに関連付けられた、各第１部分に関してのみ受信可能である。これは、システム情報のある第１部分の受信により、複数の異なる可能な第２部分２０Ａ〜２０Ｃの対象とする１つのみが、第１部分に関してシグナリングされたシーケンスを使用することで明確に受信可能であることを意味する。これは、どの第２部分２０Ａ〜２０Ｃが、システム情報の受信した第１部分を補うかについての不明瞭性を、効果的に防ぐ、或いは、最小化する。
【００２９】
同様に、システム情報の複数の異なる可能な第２部分２０Ａ〜２０Ｃが、図３に示す様に、同じ種別の各テーブル３４Ａ〜３４Ｃを含む実施形態を想定する。テーブル３４Ａ〜３４Ｃは、それぞれ、例えば、同期信号の様な信号３８の受信に基づきデバイス１４が取得したインデクス３６を使用することでアクセス可能である。この点、インデクス３６は、テーブル３４Ａ〜３４Ｃのそれぞれに有効なインデクスであり得るが、異なるシステム情報を含む異なるテーブル３４Ａ〜３４Ｃのエントリにマッピングされ得る（例えば、異なるランダムアクセスプリアンブル）。これにより、テーブル３４Ａ〜３４Ｃのどれがインデク３６のターゲットであるかに関しての不明瞭さ、つまり、インデクス３６が実際に参照することを意図するのが、テーブル３４Ａ〜３４Ｃのどれであるかについての不明瞭さが存在する。この不明瞭性は、ここでは、取得されたインデクス３６に関連付けられたシステム情報の第１部分１６Ａに含まれる明示的シグナリングにより示されるシーケンス２４Ａにより解決される。この例において、関連するシーケンス２４Ａは、インデクス３６の対象とされる候補である他の第２部分２０Ｂ及び２０Ｃではなく、インデクス３６の対象とされるテーブル３４Ａを含むものとしてシステム情報の第２部分２０Ａを特定する。
【００３０】
幾つかの実施形態において、テーブル３４Ａ〜３４Ｃは、それぞれ、それらがアクセス情報テーブルであるとの点で、同じ種別である。図４は、その様な実施形態におけるテーブル３４Ａの例を示している。図示する様に、テーブル３４Ａは、無線通信システム１０にアクセスするための複数の構成１、２、・・・、Ｎを含む。異なる構成は、無線通信デバイス１４がシステム１０に異なる方法でアクセスする様に、例えば、あるアクセスパラメータの異なる値を使用する様に、無線通信デバイス１４を構成する。テーブル３４Ａの複数の構成１、２、・・・、Ｎは、それぞれ、異なるインデクス１、２、・・・、Ｎで示される。
【００３１】
テーブル３４Ｂ及び３４Ｃは、同様に形成され得るが、システム１０にアクセスするための異なる構成、或いは、インデクスと構成との少なくとも異なるマッピングを有する。この様に、テーブル３４Ａが、システム１０で送信される他のテーブル３４Ｂ及び３４Ｃと同じ多数の構成エントリを少なくとも有し、与えられたインデクス１、２、・・・、Ｎが有効にテーブル３４Ａ〜３４Ｃのそれぞれの構成をマッピングするが、マッピングされる構成は、テーブル３４Ａ〜３４Ｃのいずれがインデクスされるかによって変化し得る。この不明確性は、システム情報の第１部分１６に含まれる、或いは、関連付けられる明示的シグナリングにより示されるシーケンス２４により解決される。
【００３２】
図５は、デバイス１４が、所謂、システム署名（ＳＳ）信号に基づきインデクスを取得する実施形態における、無線通信デバイス１４により実行される処理を示している。実際、図示する様に、デバイス１４は、ＳＳ信号（ブロック４０）を受信する。ＳＳ信号は、幾つかの実施形態において、同期信号であり得る。いずれにしても、ＳＳ信号は、システム１０の複数の異なる可能なシステム署名の１つを示す。デバイス１４がシステム１０にアクセスする必要がある場合、デバイス１４は、ＳＳ信号をサーチし得る。デバイス１４が複数のＳＳ信号を検出した場合、デバイス１４は、信号強度、品質、又は、他の信号特性の順序で（例えば、デバイス１４は、最初に最も強いものを選択し得る）必要に応じて、検出したＳＳ信号それぞれに対してこの処理を実行し得る。
【００３３】
受信ＳＳ信号に基づき、デバイス１４は、テーブル・インデクス（ブロック４２）を判定する。ＳＳ信号は、例えば、テーブル・インデクスを符号化、又は、マッピングし得る。この例において、テーブル・インデクスは、アクセス情報テーブルへのインデクスである。しかしながら、複数のアクセス情報テーブルが、システム１０において送信される。テーブル・インデクスが示すことを意図しているアクセス情報テーブルを特定するため、デバイス１４は、ＳＳ信号に基づきシステム情報の第１部分１６を受信する（ブロック４４）。例えば、デバイス１４は、ＳＳ信号と、例えば、規格やデバイスのユニバーサル加入者識別モジュール（ＵＳＩＭ）等で事前構成されたシーケンスとの間の１対１のマッピングを使用し、ＳＳ信号からシーケンス（例えば、ＤＭＲＳシーケンス、ディスクランブル・シーケンス、又は、同期信号シーケンス）を導出、又は、判定し得る。デバイス１４は、そのシーケンスを使用して第１部分１６を受信する。幾つかの実施形態において、第１部分１６を受信するために使用されるこのシーケンスは、システム情報の第２部分２０を受信するために使用されるシーケンスとは異なる。いずれにしても、テーブル・インデクスと第１部分１６は、同じ信号、つまり、同じＳＳ信号に基づき判定され、相互に（一意に）関連付けられる。
【００３４】
続いて、上述したのと同様に、デバイス１４は、システム情報の第１部分１６に含まれる、或いは、関連付けられた明示的シグナリングからシーケンス２４を判定する（ブロック４６）。デバイス１４は、この判定したシーケンス２４を使用してシステム情報の第２部分２０を復調、又は、ディスクランブルし（ブロック４８）、第２部分２０からアクセス情報テーブルを読み出す、又は、復元する（ブロック５０）。システムの他の可能な第２部分とこの第２部分２０とを区別するシーケンス２４により、シーケンス２４は、この第２部分２０に含まれるアクセス情報テーブルを、テーブル・インデクスが指し示す対象のテーブルとして、効果的に特定する。つまり、シーケンス２４は、第２部分２０に含まれる特定のアクセス情報テーブルを、ＳＳ信号に関連付けられたインデクスの対象として特定する（よって、第１部分１６とシステム署名信号との関連付けがある場合、システム情報の第１部分１６も）。
【００３５】
よって、デバイス１４は、テーブル・インデクスにより示されている、読み出したアクセス情報テーブル内の構成を特定する（ブロック５２）。デバイス１４は、テーブルの、テーブル・インデクスがマッピングする構成を異なる構成から選択することによりそれを行い得る。デバイス１４は、特定した構成を使用してシステム１０にアクセスする（ブロック５４）。
【００３６】
幾つかの実施形態において、各テーブル３４Ａ〜３４Ｃの構成１、２、・・・、Ｎは、例えば、ランダムアクセスといった、システム１０への初期アクセスに（排他的に）関する。本実施形態及び他の実施形態において、異なる構成１、２、・・・、Ｎは、異なるランダムアクセス構成（例えば、異なるランダムアクセスプリアンブル、タイミング、送信電力及び／又は他のランダムアクセスパラメータ）でのランダムアクセスを実行することにより、システム１０に初期的にアクセスする様にデバイス１４を構成し得る。代わりに、或いは、追加して、異なる構成１、２、・・・、Ｎは、異なる公衆地上移動網（ＰＬＭＮ）識別子を使用することで、システム１０に初期的にアクセスする様にデバイス１４を構成し得る。
【００３７】
図６Ａは、システム情報の第２部分が、複数の領域５６Ａ及び５６Ｂで共通して送信される、共通アクセス情報を構成している場合の実施形態の一例を示し、システム情報の異なる第１部分は、それぞれ、複数の領域５６Ａ及び５６Ｂで送信される。無線ノード１２Ａ及び１２Ｂは、例えば、単一周波数ネットワーク（ＳＦＮ）を使用することで同時に、システム情報の第２部分を共にブロードキャストし得るが、無線ノード１２Ａ、１２Ｂは、それぞれ、システム情報の異なる第１部分をブロードキャストする。他の例として、無線ノード１２Ａ及び１２Ｂは、比較的に小さいカバレッジ領域に渡り、システム情報の異なる第１部分をブロードキャストする低電力無線ノードであり、より高い電力の無線ノード（図示せず）は、比較的大きい、重複するカバレッジ領域にシステム情報の第２部分をブロードキャストする。この点、システム情報の異なる第１部分は、同じ種別の異なるシステム情報を示し、この異なるシステム情報は、それぞれ、異なる領域５６Ａ及び５６で送信される。
【００３８】
この様に送信されたシステム情報の第２部分により、この第２部分に含まれるアクセス情報テーブルは、適切に、共通アクセス情報テーブル（Ｃ−ＡＩＴ）として参照される。第２部分に含まれるＣ−ＡＩＴ及び任意の他の共通アクセス情報は、（物理アンカーチャネル（ＰＡＣＨ）として参照される）共通アクセス情報チャネルにより送信（例えば、ブロードキャスト）され得る。第２部分は、よって、ＰＡＣＨシステム情報としても便利に参照され得る。
【００３９】
これに対し、個別の領域５６Ａ又は５６Ｂで送信されるシステム情報の第１部分は、領域５６Ａで送信されるＳＳＢ１と、領域５６Ｂで送信されるＳＳＢ２と共に、システム署名ブロック（ＳＳＢ）として参照される。よって、図示する様に、第１ＳＳ信号（ＳＳ１）及び第１ＳＳＢ（ＳＳＢ１）は、領域５６Ａで送信されるが、第２ＳＳ信号（ＳＳ２）及び第２ＳＳＢ（ＳＳＢ２）は、領域５６Ｂで送信される。第１ＳＳ信号（ＳＳ１）は、第１Ｃ−ＡＩＴインデクス（インデクス１）に関連付けられ、第１Ｃ−ＡＩＴインデクスは、Ｃ−ＡＩＴの第１アクセス情報構成（Ｃｏｎｆｉｇ１）にマッピングされる。第２ＳＳ信号（ＳＳ２）は、第２Ｃ−ＡＩＴインデクス（インデクス２）に関連付けられ、第２Ｃ−ＡＩＴインデクスは、同じＣ−ＡＩＴの第２アクセス情報構成（Ｃｏｎｆｉｇ２）にマッピングされる。第１ＳＳブロック（ＳＳＢ１）及び第２ＳＳブロック（ＳＳＢ２）の両方は、よって、ＰＡＣＨシステム情報を復調、又は、ディスクランブルするための同じシーケンスを示す明示的シグナリングを含む、或いは、明示的にシグナリングに関連付けられる。この明示的シグナリングにより示されるシーケンスは、その伝送が領域５６Ａ及び／又は５６Ｂにリークするかもしれない他のＰＡＣＨにより搬送される任意の他のＣ−ＡＩＴとは異なり、第１Ｃ−ＡＩＴ及び第２Ｃ−ＡＩＴが対象とするＣ−ＡＩＴを搬送するものとしてＰＡＣＨを識別する。
【００４０】
図６Ｂは、システム情報の第１部分（ＳＳ信号の形式）がシステム情報の第２部分（Ｃ−ＡＩＴの形式）より頻度高く送信される場合の、幾つかの実施形態によるＳＳ、ＳＳＢ及びＣ−ＡＩＴの送信タイミングを示している。図示する様に、例えば、ＳＳ信号は、Ｃ−ＡＩＴの送信期間より短い送信期間を有する。
【００４１】
一般的に、ＳＳ送信期間及びＣ−ＡＩＴ送信期間は、システムエネルギパフォーマンス、デバイスエネルギパフォーマンス、及び、ＳＳがアクセスの前に読み出されることが必要である場合のアクセス遅延の間のトレードオフであり得る。よって、幾つかの配置において、Ｃ−ＡＩＴ期間は、ＳＳ期間と同じであり得る（例えば、小さい室内ネットワーク）。他の実施形態において、極端に電力が制限されるシナリオ（例えば、オフグリッドソーラ給電の基地局）をサポートするために、Ｃ−ＡＩＴ期間は非常に大きい（例えば、１０秒）。しかしながら、典型的な配置シナリオにおいて、ＳＳ送信期間は、５〜１００ｍｓの間であり、Ｃ−ＡＩＴ送信期間は、５〜２０００ｍｓの間である。ＳＳ期間は、ＳＳを送信する無線ノードとの通信アクティビティの検出されたレベルに依存し得る。（例えば、ＳＳはＣ−ＡＩＴ自体ではなくＣ−ＡＩＴへのインデクスを搬送するので）Ｃ−ＡＩＴよりサイズの小さいＳＳを使用することで、Ｃ−ＡＩＴ期間より短いＳＳ期間が、少ない新グナリング負荷でシステム情報の変更を容易にする。実際、システム情報の変更は、より大きなサイズのＣ−ＡＩＴを伴うことなく、より小さいサイズのＳＳを送信することにより達成され得る。
【００４２】
ＳＳ信号で搬送できない（例えば、同期信号シーケンスを介して）、或いは、ＳＳ信号又はＣーＡＩＴと同じ送信期間で搬送する必要のないシステム情報を搬送するために、ＳＳＢが送信され得る。ＳＳＢは、例えば、Ｎ番目のＳＳ送信の度に送信され、例えば、Ｎ＝１、２、・・・、２０であり得る。図６Ｂは、例えば、Ｎ＝２の例を示している。ＳＳＢの送信期間は、それが搬送するシステム情報のタイミング必要性に依存する。
【００４３】
この点、ＳＳＢは、システム情報を搬送し、ＰＡＣＨシステム情報を復調、又は、ディスクランブルするためのシーケンスを示す明示的シグナリングを含む、或いは、当該明示的シグナリングに関連付けられる。明示的シグナリング（例えば、ＳＳＢに含まれる）は、この点について１つ以上のシーケンスを示し得る。例えば、シグナリングは、ＤＭＲＳシーケンス及びスクランブリング・コード・シーケンスの１つ又は両方を示す。よって、デバイス１４は、示されたＤＭＲＳシーケンスを使用してＰＡＣＨを復調、及び／又は、示されたスクランブリング・コード・シーケンスを使用してＰＡＣＨをディスクランブルし得る。
【００４４】
幾つかの実施形態において、代わりに、或いは、追加して、ＳＳＢに関連付けられた明示的シグナリングは、ＰＡＣＨを復調するためのタイミング基準として使用され得る同期信号シーケンス、つまり、ＰＡＣＨ−ＳＳを示し、ＳＳは、同期信号を示すために使用されている。例えば、ＰＡＣＨが対応するＳＳ信号及びＳＳＢを送信している無線ノードとは異なる無線ノードにより送信され、これらノード間の厳しい時間同期（例えば、１サイクリックプレフィクス以内）が無い場合、ＰＡＣＨ−ＳＳは、詳細な時間同期のために示され、或いは、デバイス１４によって実際に使用される。ＰＡＣＨが、対応するＳＳ信号及びＳＳＢが送信されている帯域とは異なる周波数帯域で送信されている場合にも、ＰＡＣＨ−ＳＳは、示され、或いは、デバイス１４によって使用される。ＰＡＣＨが、ＳＳ信号及びＳＳＢと同じ周波数帯域で送信されている場合、ＰＡＣＨが、ＳＳ信号及びＳＳＢと同じ無線ノードにより送信されている場合、或いは、ＰＡＣＨが、ＳＳ信号及びＳＳＢを送信している無線ノードと精密に時間同期した異なる無線ノードにより送信されている場合、ＰＡＣＨ−ＳＳは、ＳＳＢによって示されず、或いは、デバイス１４によって使用されない。よって、一般的に、デバイス１４は、同じ、又は、異なる同期信号からＳＳＢ及びＰＡＣＨのタイミングを少なくとも部分的に抽出し得る。ＳＳＢの送信フォーマットは、対応する同期信号に関連付けられたインデクスから少なくとも部分的に抽出され、ＰＡＣＨの送信フォーマットは、ＳＳＢに埋め込まれた、或いは、ＳＳＢに含まれたシステム情報から少なくとも部分的に抽出され得る。
【００４５】
よって、幾つかの実施形態において、ＳＳＢに関連付けられた明示的シグナリングは、一般的に、どの様にＣ−ＡＩＴが送信されるかを記述する送信フォーマットを示す（例えば、"ＰＡＣＨフォーマット情報"フィールドにより）。この点、明示的シグナリングは、Ｃ−ＡＩＴ送信が生じる無線リソースを記述する情報を含み得る（例えば、"Ｃ−ＡＩＴポインタ"の形式で）。例えば、情報は、Ｃ−ＡＩＴ送信が生じる時間及び／又は周波数リソースを、例えば、Ｃ−ＡＩＴが送信されているチャネル（つまり、ＰＡＣＨ）のリソース位置及び／又はサイズを示すことにより示す。情報は、ＰＡＣＨ時間及び／周波数リソースを、サブキャリア数、ＰＡＣＨのＯＦＤＭシンボル数、ＰＡＣＨの周波数帯域、ＰＡＣＨに使用されている無線アクセス技術（ＲＡＴ）等で示し得る。
【００４６】
代わりに、或いは、追加して、ＳＳＢに関連付けられた明示的シグナリングは、ＰＡＣＨで使用されている変調及び符号化方式（ＭＣＳ）を示す情報を含み得る。情報は、情報ビット数、チャネルビット数、変調インデクス、チャネル符号情報（例えば、冗長バージョン）等でこれを示し得る。さらに他の実施形態において、ＳＳＢに関連付けられた明示的シグナリングは、ＰＡＣＨのアンテナ構成を示し得る。シグナリングは、ＰＡＣＨに使用されているプリコーダ、ＰＡＣＨでの送信に使用されているアンテナ数、ダイバーシティ符号化方式等でこれを示し得る。さらに他の実施形態において、ＳＳＢに関連付けられた明示的シグナリングは、ＰＡＣＨの識別子を示し得る。代わりに、或いは、追加して、ＳＳＢに関連付けられた明示的シグナリングは、システムフレーム番号（ＳＦＮ）、システム情報値タグ若しくはハッシュコード、１つ以上のＰＬＭＮ  ＩＤ（例えば、圧縮リストとして）、トラッキングエリア情報、長いスリープ期間後のデバイスのウェィクアップのタイミング情報等を示し得る。
【００４７】
幾つかの実施形態において、ＰＡＣＨは、Ｃ−ＡＩＴに加えて他の共通アクセス情報を搬送する。他の共通アクセス情報は、グローバル時間、ＰＬＭＮ  ＩＤリスト、共通アクセス除外情報、トラッキングエリア情報等を示し得る。１つ以上実施形態において、ＰＡＣＨは、地震及び津波警報システム（ＥＴＷＳ）及び／又は商業モバイル警告システム（ＣＭＡＳ）にアクセスする方法を示す、ＥＴＷＳ情報、及び／又は、ＣＭＡＳ情報も搬送し得る。ＰＡＣＨは、この情報の総て又は幾つかを動的に含めるために、動的サイズを有し得る。
【００４８】
図７は、幾つかの実施形態による、ＰＡＣＨの送信処理に関する追加の詳細を示している。図示する様に、サイクリック・リダンダンシー・チェック（ＣＲＣ）が、ＰＡＣＨのペイロード６０に付加される（ブロック６２）。フレキシブルなペイロードサイズをサポートする１つ以上の実施形態において、ＣＲＣを含むペイロードのサイズを、ＰＡＣＨの可能な予め定義された異なる複数のサイズ（例えば、２００、３００、又は、４００ビット）の１つの適合させるために、パディングが使用され得る。ペイロード、ＣＲＣ及び任意の可能なパディングは、その後、チャネル符号化される（ブロック６４）。符号化データは、その後、符号化データを変調シンボル（例えば、四位相偏移変調（ＱＰＳＫ）シンボル）にマッピングするために、変調される（ブロック６６）。結果として得られる変調シンボルは、例えば、低いピーク対平均比（ＰＡＰＲ）波形を達成するため、離散フーリエ変換（ＤＦＴ）プリコードされる（ブロック６８）。プリコードされた信号は、予め定義されたサブキャリアのグループにマッピングされ（ブロック７０）、逆ファストフーリエ変換（ＩＦＦＴ）処理及びサイクリックプレフィクス（ＣＰ）の追加を実行するブロック７２に渡される。幾つかの実施形態において、結果として得られる信号は、１つ以上のアンテナ７６を介して送信（例えば、ブロードキャスト）される前に、ブロック７４でビーム形成（ＢＦ）される。
【００４９】
図６Ａ及び図６Ｂは、配置シナリオの一例を示しているが、システム情報のための他の配置シナリオも可能である。図８Ａ及び図８Ｂは、他の幾つかの例を示している。例えば、図８Ａにおいて、例えばＣ−ＡＩＴ形式の共通アクセス情報は、オーバレイノード（例えば、ＬＴＥ）のカバー領域の幾つかの異なる部分にサービス提供する複数のノード経由で共にではなく、オーバレイノードにより配信される。これに対し、図８Ｂにおいて、共通アクセス情報は、オーバレイノードのカバー領域の幾つかの異なる部分にサービス提供する複数のノードと、オーバレイノードと、を含む各ノードにより配信される。つまり、総てのノードは、それぞれ、ＳＳ信号、ＳＳＢ及びＣ−ＡＩＴを送信でき、各Ｃ−ＡＩＴは、同じノードにより送信されるＳＳ信号に関する単一エントリのみを含む、或いは、各Ｃ−ＡＩＴは、複数のノードにより送信されるＳＳ信号に関する複数のエントリを含むことができる。しかしながら、同じ周波数の同期ネットワーク内でのＣ−ＡＩＴの受信には、強い干渉があり得る。Ｃ−ＡＩＴ干渉を避けるため、異なるノードにより送信されるＣ−ＡＩＴは、相互に時間シフトされ得る。
【００５０】
幾つかの実施形態において、送信電力が大きく異なる無線ノードの異なる種別は、異なるシステム情報を有する必要があり得る。幾つかの実施形態において、これらの異なる種別の無線ノードは、異なるシステム署名を有する。例えば、無線ノードは、異なる電力クラスに分割され、各電力クラスは、それ自身のシステム署名を有する。同じ電力クラスの無線ノードは、別の理由、例えば、バックフォール能力、処理能力等により異なるシステム署名を必要としない限り、同じ署名を有する。異なる種別は、例えば、無線ノードがアクティブモードであるか、スリープモードであるかといったアクティビティレベルに基づいてもクラス分けされ得る。いずれにしても、複数のシステム署名に関連付けられたシステム情報は、本配置オプションの任意のものに従い、例えば、Ｃ−ＡＩＴの形式で、１つ以上の無線ノードによってブロードキャストされ得る。例えば、システム情報は、幾つかの高電力無線ノードによってのみブロードキャストされ得る。
【００５１】
これら、或いは、他の実施形態において、システム署名は、従来のセル特定基準信号（ＣＲＳ）と比較されるが、大きな違いがある。ＣＲＳと同様、システム署名は、システム情報と関連付けられ、初期のデバイス送信を制御する。しかしながら、幾つかの無線ノードは、近接していても、それらが同様の送信電力又はアクティビティであると、同じシステム署名を有し得る。実際、同じ種別の総ての無線ノードは、同じシステム署名を有し得る。２つの隣接無線ノードが同じ物理セル識別子（ＰＣＩ）を有し、よって、同じＣＲＳを送信する場合、ＰＣＩ衝突が生じる従来のシステムとは異なる。実際、隣接する無線ノードによる同じシステム署名の送信は、干渉事象ではなく、より建設的な事象を追加し得る。他の差分は、実際のシステム情報は、システム署名を送信するのと同じ無線ノードから送信されない点である。
【００５２】
さらにこの点に関しＣＲＳと比較すると、システム署名を低い電力で送信でき、ネットワークのエネルギ消費を減少させ、或いは、マクロレイヤでの大きなセルの配置が使用され得る。マクロレイヤでの大きなセルは、その下のネットワークレイヤの無線ネットワークノードのスリープモードのサポートを増加させる。マクロレイヤが粗いと、各アクティブノードについて、多数の非アクティノードが存在し得る。２つの隣接するノードが、現システムにおいて同じＣＲＳを送信していると、定義として、それらはジョイントセルを形成している。ジョイントセルは、正確に同じ同期信号及びシステムブロードキャスト信号を送信しなければならない。総てのＣＲＳに基づく制御及びデータチャネルも、同じノードにおいて同一の方法で送信されなければならない。それらが上記のいずれかを行わないと、ＰＣＩ衝突が生じ、これは通常の動作において生じることは許されない。これは、呼の切断や、ハンドオーバ障害につながるエラーイベントであり、解決されなければならない。デバイスは、総ての単一ノードがシステム署名を送信すると想定しないので、システム署名によりこれが可能になる。デバイスは、初期アクセスが実行された後、サービングノード／セルに割り当てられ得る。アクセス手順において、デバイスは、ノード／セルへのアクセスを可能にする情報を受信する（例えば、ランダムアクセスは、ノード又はセル固有ではないかもしれない）。実際、ノード／セルは、例えば、非アクティブ又は休眠状態であるため、デバイの初期アクセス前、そこにないかもしれない。
【００５３】
よって、幾つかの実施形態において、デバイスは、システムへの初期アクセスを要求するために、あるＳＳ信号に対応するＣ−ＡＩＴの初期アクセス情報を使用し、その後、初期アクセス後に受信した他のシステム情報を使用する。例えば、デバイスは、初期システムアクセス後、共通システム情報として参照される幾つかのシステム情報（例えば、マルチＲＡＴリスト）を受信し、その後、初期ノードアクセス後において非特定システム情報として参照され得る他のシステム情報（例えば、送信モードサポート又はＣＲＳ構成）を受信する。さらに他の実施形態において、この他のシステム情報の総て又は幾つかは、デバイスにおいて既に知られている（事前構成されている）。
【００５４】
例えば、幾つかの実施形態において、デバイスは、そのメモリにアクセス情報テーブル（ＡＩＴ）を格納している。ＡＩＴは、初期システムアクセス前に共通制御プレーンシグナリングで受信されるＣ−ＡＩＴ、及び／又は、初期システムアクセス後に個別制御プレーンシグナリングで受信される個別ＡＩＴに基づき更新され得る。よって、ＡＩＴは、Ｃ−ＡＩＴと同じ情報、Ｄ−ＡＩＴと同じ情報、或いは、Ｃ−ＡＩＴとＤ−ＡＩＴの幾つかの組み合わせと同じ情報を有する場合があり得る。
【００５５】
Ｄ−ＡＩＴは初期システムアクセスに必須ではないので、Ｄ−ＡＩＴは、Ｃ−ＡＩＴには含まれない幾つかのパラメータ（エントリではない）を含む場合があり得る。その様なパラメータは、テーブルの各エントリを補い、或いは、エントリとは別の共通パートに追加され得る。システム１０がデバイスにＤ−ＡＩＴを送信するものとすると、これらのパラメータは、この様にＡＩＴにも含められる。Ｄ−ＡＩＴは、異なるデバイスに異なる構成を示すために同じＳＳ信号を使用し得る。例えば、システム輻輳の場合、これは、システム１０が異なるデバイスに異なるアクセス持続値を持たせることを可能にする。
【００５６】
幾つかの実施形態の上記視点において、システム情報は、効果的に従来のセルから分離される。この分離は、高い次元のセクタ化、クラウド無線アクセスネットワーク（ＲＡＮ）、協調マルチポインチ（ＣｏＭＰ）、高周波数帯域オペレーション、拡大領域カバレッジ等の様な、重要なユースケース及び配置を効果的にサポートするために行われ得る。
【００５７】
結果、新たな論理的なネットワークエンティティが、従来のセル又はノード上に効果的に定義され得る。この新たな論理的なネットワークエンティティは、論理的な"アンカーセル"、"アンカー領域"、又は、"アンカーノード"（"スーパーセル"や、"ハイパーセル"等の他の名前でもあり得る）として参照され得る。用語アンカーセルを、アンカー領域、アンカーノード等と等しい意味で以下の実施形態で使用する。アンカーセルは、１つ以上のセル、セクタ、アクセスネットワークカバレッジ領域及び／又はビームを含む。一例を図９に示す。図９に示す例において、システム情報の一部分（例えば、ＳＳＢ）は、異なるセクタ（ビーム等）から送信され、システム情報の他の部分（例えば、Ｃ−ＡＩＴ）は、幾つかのセクタ（ビーム等）で共通して送信され得る。よって、レギュラーセル及びアンカーセルの両方を有するシステム１０の文脈において、システム情報は、個別セル（セクタ、ビーム、ノード、カバレッジ領域等）と、論理的なアンカーセルの両方から送信される。例えば、幾つかのシステム情報は、単一ノード送信フォーマット（例えば、セルブロードキャスト）を使用して送信されるが、他のシステム情報は、マルチノード送信フォーマット（例えば、ＯＦＤＭ，ＳＦＮ）を使用して送信され得る。
【００５８】
この文脈において、"ＳＳ＋ＳＳＢ"信号は、ＰＡＣＨとは異なるノードセットから送信され得る。組み合わせ数は多くなり得る。これら総ての組み合わせについてＳＳ、ＳＳＢ及びＰＡＣＨをブラインドで復号することを試みことは、追加のアクセス遅延の原因となり、デバイスのバッテリを消費する。デバイスがＰＡＣＨのブラインド復号に成功しても、デバイスは、例えば、隣接アンカーセルといった、他のアンカー領域に向けられた、正しくないＰＡＣＨを復号しているかもしれない。幾つかの実施形態において、実際、ＳＳ信号は、局所的にのみ一意であり、異なるＰＡＣＨ送信は、異なるＳＳに関する異なる情報を含み得る。これは、ＳＳが再利用され、異なる領域（例えば、異なるアンカーセル）において異なるアクセス情報に関連付けられ得ることも意味する。よって、ＰＡＣＨ送信（つまり、Ｃ−ＡＩＴ）は、デバイスの現在のアンカーセルで使用されるＳＳに関連付けられた情報を含み得る（デバイスが現在受信できる（最も強い）ＳＳを含む）が、情報は、デバイスの現在のアンカーセルでは有効ではない（例えば、隣接アンカーセルで有効）。デバイスが２つ以上のＰＡＣＨを受信できる場合、どれが目的とするものであるかをデバイスは知り得ない。
【００５９】
ＰＡＣＨが、異なる距離依存パス損失の異なる周波数帯域（例えば、より低い周波数）で送信される場合、成分であるＳＳ及びＳＳＢ送信のカバレッジ領域の結合を、ＰＡＣＨのカバレッジ領域に正確に適合させることは（実際）不可能である。その様なシナリオにおいて、デバイスは、しばしば、２つ以上のＰＡＣＨを受信する。
【００６０】
上述した様に、ＰＡＣＨ送信内で通信されるＣ−ＡＩＴは、同じアンカーセルの部分ではない（再利用された、或いは、異なる）ＳＳ信号についての情報を含み得る。デバイスが、アクセス情報をどのＰＡＣＨから受信したかを知ることができない場合、デバイスがシステムアクセスを実行する際にどの様に振舞うかを予測できない。デバイスが、アクセス情報を、他のアンカーセルから受信したか、このアンカーセルから受信したかに応じて、アクセス手順は異なり得る。
【００６１】
１つ以上の実施形態は、システム情報の第２部分を復調、又は、ディスクランブルするために使用するシステム情報の第１部分内に、或いは、当該第１部分に関連付けられるフィールドを導入することにより、これらのシナリオを解決する。上記例において、例えば、これは、ＳＳＢが、例えば、"ＰＡＣＨ−ＤＭＲＳ情報"、及び／又は、"ＰＡＣＨスクランブリング・コード情報"と、恐らくは、当該ＰＡＣＨに関連付けられた個別の同期信号（例えば、ＰＡＣＨ−ＳＳ）を含み得ることを意味する。幾つかの実施形態において、ＰＡＣＨは、Ｃ−ＡＩＴを含み得る。ＰＡＣＨは、アンカーセル・グローバル識別子（ＡＣＧＩ）、及び／又は、アンカーセルレベルでのトラッキングＲＡＮアクセスコード又はトラッキングエリアコードも含み得る。
【００６２】
一般的に、幾つかの実施形態において、システム情報の第1部分１６に関連付けられ、第１部分１６を補うシステム情報の第２部分２０を特定する明示的シグナリングが送信される。この様に、明示的シグナリングは、第１部分１６に対応する第２部分に関する不明確さを低減させる様に、システム１０の第２部分２０を、他の第２部分とは区別する。第２部分２０の識別は、第２部分２０を復調、又は、ディスクランブルするために使用されるシーケンスの明示的シグナリングにより達成され得る。代わりに、或いは、追加して、識別は、第２部分の識別子、又は、第２チャネルの識別子（例えば、ＰＡＣＨ識別子）の明示的シグナリングにより達成され得る。
【００６３】
セル間、セクタ間、アクセスノードのカバレッジ領域間、及び、ビーム間といった概念間の境界は、将来の無線通信システム（例えば、５Ｇシステム）では、ある意味不明瞭であり得る。これは、ビーム形成が普及し、伝統的にはセルに紐づけされた機能及びメカニズムが、複数のアクセスノードに分散されると、その関連性が疑問になるからである。よって、用語セルが、幾つかの実施形態を記述するために使用されているが（例えば、新たな論理的なネットワークエンティティを、セルのセットを含む論理的なエンティティを含むものとして記述する際）、これらの実施形態は、伝統的な"セル"との用語に代えて使用される特定の用語と同様の意味に拡張される。
【００６４】
さらに、幾つかの実施形態は、システムにより送信されるＳＳブロック及びＣ−ＡＩＴを有する将来の５Ｇアクセスシステムを想定して記述されているが、実施形態は、複数のシステム情報部分を有する一般的なシステムに等しく適用できる。この点、ＳＳＢ及びＣ−ＡＩＴ／ＰＡＣＨについて記述された任意の実施形態は、システム情報の任意の第１部分及びシステム情報の任意の第２部分に適用する様に一般化され、或いは、拡張され得る。これは、さらに、任意の数（Ｎ）のシステム情報部分に一般化され得る。つまり、上述した実施形態は、３つ以上のシステム情報部分に一般化され、各システム情報部分は、次のシステム情報部分（つまり、システム情報部分の"シーケンシャル・チェイン"）に関する上記種別の情報（例えば、ＤＭＲＳスクランブリング・シーケンス、関連する同期信号シーケンス／インデクスの様なフォーマット及び復調支援情報）を含む、或いは、上記種別の情報に関連付けられる。代わりに、第１システム情報部分は、他のシステム情報部分それぞれに関するフォーマット／復調支援情報を含む、或いは、フォーマット／復調支援情報に関連付けられる。これら２つの原理の一般化において、２つの原理間のハイブリッドも可能であり、システム情報部分のシーケンシャル・チェインの任意のシステム情報部分は、２つ以上の他のシステム情報部分に関するフォーマット及び復調支援情報を含む、或いは、フォーマット及び復調支援情報に関連付けられる（つまり、本質的に、シーケンシャル・チェインをシステム情報部分の"ツリー"にする）。したがって、第１システム情報部分及び第２システム情報部分との用語をここでは使用したが、第１及び第２との用語は、システム情報部分の、例えば、周波数、時間順序等を必ずしも暗示しない。
【００６５】
さらに、幾つかの実施形態は、将来の５Ｇシステムの文脈で記述されたが、実施形態は、他の種別のシステムにも同様に拡張できる。例えば、幾つかの実施形態において、無線通信システム１０は、ＬＴＥシステムである。この場合、システム情報の第１部分は、マスタ情報ブロック（ＭＩＢ）を含み、システム情報の第２部分は、システム情報ブロック（ＳＩＢ）を含み得る。
【００６６】
無線ノード１２は、無線信号により他のノードと通信できる任意種別のノード（例えば、基地局）である。無線通信デバイス１４は、無線信号により無線ノード１２と通信できる任意種別のデバイスである。無線通信デバイス１４は、よって、ユーザ装置（ＵＥ）、移動局、ラップトップ、スマートフォン、マシン・トゥ・マシン（Ｍ２）デバイス、マシン型通信（ＭＴＣ）デバイス、狭帯域のＩｏＴ（もののインターネット）デバイス等を参照し得る。無線通信デバイス１４はＵＥとしても参照され得るが、無線通信デバイス１４は、デバイスを動作させ、及び／又は、デバイスを所有する個々の人という意味での"ユーザ"を必ずしも持たない。無線通信デバイス１４は、文脈によりその他を示していない限り、無線デバイス、無線通信デバイス、無線端末若しくは単に端末としても参照され、これら任意の用語の使用は、デバイス・トゥ・デバイスＵＥ若しくはデバイス、マシン型デバイス、マシン・トゥ・マシン通信が可能なデバイス、無線デバイスに設けられたセンサ、無線通信が可能なテーブルコンピュータ、移動端末、スマートフォン、ラップトップ組込み装置（ＬＥＥ）、ラップトップ実装装置（ＬＭＥ）、ＵＳＢドングル、無線カスタマ宅内装置（ＣＰＥ）等を含むことを意図する。本記述において、用語マシン・トゥ・マシン（Ｍ２Ｍ）デバイス、マシン型通信（ＭＴＣ）デバイス、無線センサ、及び、センサも使用され得る。これらのデバイスはＵＥであるが、人による直接的な操作なしにデータを送受信する様にも、一般的に、構成され得る。
【００６７】
ＩｏＴシナリオにおいて、本開示の無線通信デバイスは、監視及び測定を実行し、他のデバイス若しくはネットワークにその様な監視測定結果を送信するマシン若しくはデバイスであり得る、或いは、マシン若しくはデバイスに含まれ得る。その様なマシンの特定の例は、電力メータ、産業機器、又は、例えば、冷蔵庫、テレビ、時計の様なパーソネルウェアラブルといったホーム若しくはパーソナル装置等である。他のシナリオにおいて、本開示の無線通信デバイスは車両に含まれ、車両の動作状態又は車両に関する他の機能を監視及び／又は報告を実行し得る。
【００６８】
上記修正形態及び変形形態の観点において、当業者は、無線ノード１２が、一般的に、図１０の方法１００を実行することを理解する。方法１００は、一般的に、システム情報の第１部分１６に関連付けられ、システム情報の第２部分２０を、復調又はディスクランブルするシーケンス２０を示す、明示的シグナリングを生成することを含む（ブロック１１０）。方法１００は、シグナリングチャネル２５で明示的シグナリングを送信することも含む（ブロック１２０）。代わりに、或いは、追加して、幾つかの実施形態において、方法１００は、第１チャネル１８でシステム情報の第１部分１６を送信すること（ブロック１３０）を含むが、他の実施形態において、異なる無線ノードが、第１部分１６を送信する。代わりに、或いは、追加して、幾つかの実施形態において、方法１００は、第２チャネル２２でシステム情報の第２部分２０を送信すること（ブロック１４０）を含むが、他の実施形態において、異なる無線ノードが、第２部分２０を送信する。
【００６９】
当業者は、本開示の無線通信デバイス１４が、無線通信システムのシステム情報を部分的に受信する、図１１に示す方法２００を実行することを理解する。方法２００は、第１チャネル１８で、システム情報の第１部分１６を受信することを含む（ブロック２１０）。方法２００は、シグナリングチャネルを介して、第１部分１５に関連付けられ、かつ、無線通信デバイス１４がシステム情報の第２部分２０を復調又はディスクランブルするためのシーケンス２４を示す、明示的シグナリングを受信することを含む（ブロック２２０）。方法２００は、示されたシーケンス２４を使用して第２部分２０を復調又はディスクランブルすることにより、第２チャネル２２でシステム情報の第２部分２０を受信することも含む（ブロック２３０）。幾つかの実施形態において、方法２００は、システム情報の第１部分１６及び第２部分２０の両方を使用して無線通信システム１０にアクセスすることも含む（ブロック２４０）。
【００７０】
無線ノード１２は、上述した様に、任意の機能手段又はユニットを実装することにより、本開示の任意の処理を実行し得る。例えば、一実施形態において、無線ノード１２は、図１０に示すステップを実行する様に構成された各回路を含む。この点、回路は、特定の機能処理を実行する専用回路、及び／又は、メモリと接続される１つ以上のプロセッサとを含み得る。メモリを利用する実施形態において、メモリは、リードオンリーメモリ（ＲＯＭ）、ランダムアクセスメモリ、キャッシュメモリ、フラッシュメモリデバイス、光記憶デバイス等の１つ以上のメモリ種別を含み、メモリは、１つ以上のプロセッサで実行されると、本開示の技術を実行するプログラムコードを格納する。
【００７１】
図１２は、１つ以上の実施形態による無線ノード１２Ａの形式で実装された無線ノード１２を示している。図示する様に、無線ノード１２Ａは、処理回路３００と通信回路３１０と、を含む。通信回路３１０は、例えば、任意の通信技術により、１つ以上の他のノードと情報の送信及び／又は受信を行う様に構成される。処理回路３００は、例えば、メモリ３２０に格納された命令を実行することによって、例えば、図１０に示す、上述した処理を実行する様に構成される。この点、処理回路３００は、ある機能手段、ユニット、又は、モジュールを実装し得る。
【００７２】
図１３は、１つ以上の実施形態による無線ノード１２Ｂの形式で実装された無線ノード１２を示している。図示する様に、無線ノード１２Ｂは、図１２の処理回路３００及び／又はソフトウェアコードにより、種々の機能手段、ユニット、モジュールを実現する。これらの機能手段、ユニット、又は、モジュールは、例えば、図１０の方法を実行するためであり、例えば、システム情報の第１部分１６に関連付けられ、かつ、システム情報の第２部分２０を復調又はディスクランブルするためのシーケンス２４を示す明示的シグナリングを生成する生成ユニット又はモジュール４００を含む。さらに、シグナリングチャネル２５で明示的シグナリングを送信する送信ユニット又はモジュール４００も含まれる。
【００７３】
同様に、無線通信デバイス１４は、上述した様に、任意の機能手段又はユニットを実装することにより、本開示の任意の処理を実行し得る。例えば、一実施形態において、無線通信デバイス１４は、図１１に示すステップを実行する様に構成された各回路を含む。この点、回路は、特定の機能処理を実行する専用回路、及び／又は、メモリと接続される１つ以上のプロセッサとを含み得る。メモリを利用する実施形態において、メモリは、リードオンリーメモリ（ＲＯＭ）、ランダムアクセスメモリ、キャッシュメモリ、フラッシュメモリデバイス、光記憶デバイス等の１つ以上のメモリ種別を含み、メモリは、１つ以上のプロセッサで実行されると、本開示の技術を実行するプログラムコードを格納する。
【００７４】
図１４は、１つ以上の実施形態による無線通信デバイス１４Ａの形式で実装された無線通信デバイス１４を示している。図示する様に、無線通信デバイス１４Ａは、処理回路５００と通信回路５１０と、を含む。通信回路５１０は、例えば、任意の通信技術により、１つ以上の他のノードと情報の送信及び／又は受信を行う様に構成される。処理回路５００は、例えば、メモリ５２０に格納された命令を実行することによって、図１１に示す、上述した処理を実行する様に構成される。この点、処理回路５００は、ある機能手段、ユニット、又は、モジュールを実装し得る。
【００７５】
図１５は、１つ以上の実施形態による無線通信デバイス１４Ｂの形式で実装された無線通信デバイス１４を示している。図示する様に、無線通信デバイス１４Ｂは、図１４の処理回路５００及び／又はソフトウェアコードにより、種々の機能手段、ユニット、モジュールを実現する。これらの機能手段、ユニット又はモジュールは、例えば、図１１の方法を実行するためであり、第１チャネル１８で、システム情報の第１部分１６を受信する第１部分受信ユニット又はモジュール６００を含む。シグナリングチャネル２５で、第１部分１６に関連付けられ、かつ、無線通信デバイス１４がシステム情報の第２部分２０を復調又はディスクランブルするためのシーケンス２４を示す、明示的シグナリングを受信するシグナリング・ユニット又はモジュール６１０も含まれる。示されたシーケンス２４を使用して第２部分２０を復調又はディスクランブルすることにより、第２チャネル２２を介してシステム情報の第２部分２０を受信する第２部分受信ユニット又はモジュール６２０もさらに含まれる。
【００７６】
もちろん、本発明は、本発明の本質的な特性から逸脱することなく、本開示とは異なる方法で実行することができる。  本実施形態は、限定するためではなく、説明のためであり、添付の請求の範囲の内容及び等化範囲における総ての変更は、本発明に含まれることが意図される。
【図１】
2019516302.tif 000003
【図２】
2019516302.tif 000004
【図３】
2019516302.tif 000005
【図４】
2019516302.tif 000006
【図５】
2019516302.tif 000007
【図６Ａ】
2019516302.tif 000008
【図６Ｂ】
2019516302.tif 000009
【図７】
2019516302.tif 000010
【図８Ａ】
2019516302.tif 000011
【図８Ｂ】
2019516302.tif 000012
【図９】
2019516302.tif 000013
【図１０】
2019516302.tif 000014
【図１１】
2019516302.tif 000015
【図１２】
2019516302.tif 000016
【図１３】
2019516302.tif 000017
【図１４】
2019516302.tif 000018
【図１５】
2019516302.tif 000019
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
無線通信システム（１０）のシステム情報を受信するユーザ装置（１４）により実行される方法であって、
第１チャネル（１８）で、前記ユーザ装置（１４）がシステム情報の第２部分（２０）を復調するための復調基準信号シーケンス（２４）を示す明示的シグナリングを含む、システム情報の第１部分（１６）を受信すること（２１０）と、
前記示されたシーケンス（２４）を使用して前記第２部分（２０）を復調することにより、第２チャネル（２２）でシステム情報の前記第２部分（２０）を受信すること（２２０）と、
を含む、方法。
【請求項２】
請求項１に記載の方法であって、さらに、
システム情報の前記第１部分（１６）及び前記第２部分（２０）の両方を使用して前記無線通信システム（１０）にアクセスすること（２３０）を含む、方法。
【請求項３】
請求項１又は２に記載の方法であって、
システム情報の前記第２部分（２０）は、前記無線通信システム（１０）にアクセスするための複数の構成を含むアクセス情報テーブルを含み、
前記複数の構成は、それぞれ、異なるインデクスにより示され、
前記方法は、さらに、
前記無線通信システム（１０）の複数の異なる可能なシステム署名の１つを示すシステム署名信号を受信することと、
前記システム署名信号に基づきシステム情報の前記第１部分（１６）を受信することと、
前記システム署名信号に基づき、システム情報の前記第２部分（２０）に含まれる前記アクセス情報テーブルへのインデクスを判定することと、
前記アクセス情報テーブルの前記判定したインデクスにより示される構成を使用して前記無線通信システム（１０）にアクセスすることと、
を含む、方法。
【請求項４】
システム情報が部分的に送信される無線通信システム（１０）において使用される様に構成された基地局（１２）により実行される方法であって、
システム情報の第１部分（１６）に含まれ、かつ、システム情報の第２部分（２０）を復調するための復調基準信号シーケンス（２4）を示す、明示的シグナリングを生成すること（１１０）と、
第１チャネル（１８）で、前記明示的シグナリングを含むシステム情報の前記第１部分を送信することと、
を含む、方法。
【請求項５】
請求項４に記載の方法であって、さらに、
システム情報の前記第２部分（２０）が送信される第２チャネル（２２）とは異なる第１チャネル（１８）で、システム情報の前記第１部分（１６）を送信すること（１２０）を含む、方法。
【請求項６】
請求項１から５のいずれか１項に記載の方法であって、
システム情報の前記第１部分（１６）は、システム情報の前記第２部分（２０）が復調又はディスクランブルされるのとは異なるシーケンスを使用して復調又はディスクランブルされる、方法。
【請求項７】
請求項１から６のいずれか１項に記載の方法であって、
前記明示的シグナリングにより示される前記シーケンス（２４）は、システム情報の前記第２部分（２０）を、システム情報の１つ以上の他の第２部分とは区別し、システム情報の前記１つ以上の他の第２部分は、復調又はディスクランブルのための１つ以上の他のシーケンスそれぞれを使用して受信可能である、方法。
【請求項８】
請求項１から７のいずれか１項に記載の方法であって、
システム情報の複数の異なる可能な第２部分は、それぞれ、前記ユーザ装置（１４）により取得されたインデクスを使用してアクセス可能なテーブルの種別を含み、
前記明示的シグナリングにより示される前記シーケンス（２４）は、前記インデクスが対象とする前記種別の前記テーブルを含むものとして、システム情報の前記第２部分（２０）を区別する、方法。
【請求項９】
請求項８に記載の方法であって、
テーブルの前記種別は、前記無線通信システム（１０）にアクセスするための複数の構成を含むアクセス情報テーブルであり、
前記複数の構成は、それぞれ、異なるインデクスにより示される、方法。
【請求項１０】
請求項１から９のいずれか１項に記載の方法であって、
システム情報の前記第２部分（２０）は、それぞれが、異なるシステム署名インデクス（ＳＳＩ）により示される複数のアクセス情報構成を有する共通アクセス情報テーブル（Ｃ−ＡＩＴ）を含み、
前記アクセス情報構成の１つ以上は、前記無線通信システム（１０）への初期アクセスのための構成を含み、
システム情報の前記第１部分（１６）は、ＳＳＩに関連付けられるシステム署名ブロック（ＳＳＢ）を含む、方法。
【請求項１１】
請求項１から１０のいずれか１項に記載の方法であって、
前記明示的シグナリングは、さらに、
システム情報の前記第２部分（２０）が送信される第２チャネル（２２）の時間ドメイン及び／又は周波数ドメインのリソースサイズの情報と、
システム情報の前記第２部分（２０）が送信される第２チャネル（２２）の変調及び符号化方式と、
システム情報の前記第２部分（２０）が送信される第２チャネル（２２）のアンテナ構成と、
の１つ以上を示す、方法。
【請求項１２】
請求項１から１１のいずれか１項に記載の方法であって、
システム情報の前記第１部分（１６）は、システム情報の第１種別を含み、
前記第１種別の異なるシステム情報を示すシステム情報の異なる第１部分は、それぞれ、異なる領域で送信され、
システム情報の前記第２部分（２０）は、システム情報の前記異なる第１部分がそれぞれ送信される前記異なる領域において共に送信される共通情報である、方法。
【請求項１３】
請求項１から１２のいずれか１項に記載の方法であって、
システム情報の前記第１部分（１６）は、システム情報の前記第２部分（２０）より高い頻度で送信される、方法。
【請求項１４】
請求項１から１３のいずれか１項に記載の方法であって、
システム情報の前記第２部分（２０）は、ユーザ装置（１４）が、前記無線通信システム（１０）に初期アクセスするために必要な初期アクセス情報を含む、方法。
【請求項１５】
無線通信システム（１０）のシステム情報を受信するユーザ装置（１４）であって、
第１チャネル（１８）で、前記ユーザ装置（１４）がシステム情報の第２部分（２０）を復調するための復調基準信号シーケンス（２４）を示す明示的シグナリングを含む、システム情報の第１部分（１６）を受信し、
前記示されたシーケンス（２４）を使用して前記第２部分（２０）を復調することにより、第２チャネル（２２）でシステム情報の前記第２部分（２０）を受信する様に構成される、ユーザ装置。
【請求項１６】
請求項１５に記載のユーザ装置（１４）であって、
請求項１から３及び６から１４のいずれか１項に記載の方法を実行する様に構成される、ユーザ装置。
【請求項１７】
システム情報が部分的に送信される無線通信システム（１０）において使用される基地局（１２）であって、
システム情報の第１部分（１６）に含まれ、かつ、システム情報の第２部分（２０）を復調するための復調基準信号シーケンス（２４）を示す、明示的シグナリングを生成し、
第１チャネル（１８）で前記明示的シグナリングを含むシステム情報の前記第１部分（１６）を送信する様に構成される、基地局。
【請求項１８】
請求項１７に記載の基地局（１２）であって、
請求項５から１４のいずれか１項に記載の方法を実行する様に構成される、基地局。
【請求項１９】
ユーザ装置又は基地局の少なくとも１つの処理回路で実行されると、前記少なくとも１つの処理回路に、請求項１から１４のいずれか１項に記載の方法を実行させる命令を含む、コンピュータプログラム。
【請求項２０】
請求項１９に記載の前記コンピュータプログラムを含むキャリアであって、
前記キャリアは、電子信号、光信号、無線信号、又は、コンピュータ可読記憶媒体の１つである、キャリア。
【請求項２１】
無線通信システム（１０）のシステム情報を受信するユーザ装置（１４）であって、
処理回路と、前記処理回路により実行可能な命令を含むメモリと、を備え、
前記ユーザ装置（１４）は、
第１チャネル（１８）で、前記ユーザ装置（１４）がシステム情報の第２部分（２０）を復調するための復調基準信号シーケンス（２４）を示す明示的シグナリングを含む、システム情報の第１部分（１６）を受信し、
前記示されたシーケンス（２４）を使用して前記第２部分（２０）を復調することにより、第２チャネル（２２）でシステム情報の前記第２部分（２０）を受信する様に構成される、ユーザ装置。
【請求項２２】
請求項２１に記載のユーザ装置（１４）であって、
請求項１から３及び６から１４のいずれか１項に記載の方法を実行する様に構成される、ユーザ装置。
【請求項２３】
システム情報が部分的に送信される無線通信システム（１０）において使用される基地局（１２）であって、
処理回路と、前記処理回路により実行可能な命令を含むメモリと、を備え、
前記基地局（１２）は、
システム情報の第１部分（１６）に含まれ、かつ、システム情報の第２部分（２０）を復調するための復調基準信号シーケンス（２４）を示す、明示的シグナリングを生成し、
第１チャネル（１８）で前記明示的シグナリングを含むシステム情報の前記第１部分（１６）を送信する様に構成される、基地局。
【請求項２４】
請求項２３に記載の基地局（１２）であって、
請求項５から１４のいずれか１項に記載の方法を実行する様に構成される、基地局。
【国際調査報告】
2019516302.tif 000020
2019516302.tif 000021
2019516302.tif 000022